(57)【要約】【課題】不正行為ができない構造を有するソレノイド及び遊技機の入賞扉ロック装置を提供する。【解決手段】プランジャを外部に露出させた状態で該プランジャの基端側を覆う保護カバーを備え、その保護カバーの内部に、吸引待機位置にある該プランジャの動きを規制することにより該プランジャの露出部に吸引方向への外力が加えられても該プランジャが吸引方向に移動するのを阻止するプランジャロック機構を備えたソレノイドを構築する。【選択図】図４
2008284153.tif 000002
【特許請求の範囲】
【請求項１】
磁気回路を形成するヨークにより囲まれて配置されたコイルを励磁することにより、進退自在に保持されたプランジャを復帰バネの付勢力に抗してコイル側に直線的に引き寄せるソレノイドであって、
前記プランジャの先端側を外部に露出させた状態で該プランジャの基端側を覆う保護カバーを備え、
前記保護カバーの内部に、
前記コイルに対する励磁が遮断されて吸引開放された前記プランジャが、前記復帰バネの付勢力により復帰移動した吸引待機位置にある該プランジャの露出部に吸引方向への外力が加えられて該プランジャが吸引方向に移動するのを阻止するプランジャロック機構を備えた
ソレノイド。
【請求項２】
磁気回路を形成するヨークにより囲まれて配置されたコイルを励磁することにより、進退自在に保持されたプランジャを復帰バネの付勢力に抗してコイル側に直線的に引き寄せるソレノイドであって、
軸方向に対向させた一方の摺動体に他方の摺動体を一部重合させて双方を軸方向に一定ストローク摺動自在にして連結し、連結された一方の吸引位置側に配置される摺動体を駆動プランジャとし、他方の吸引待機位置側に配置される摺動体を従動プランジャとする分割構成されたプランジャと、
前記駆動プランジャに一体に形成されるロック部と、
前記従動プランジャに一体に形成されるストッパ部と、
前記コイルに対する励磁が遮断されたとき、前記駆動プランジャを吸引待機位置側へ復帰させる復帰バネと、
前記従動プランジャの先端側を外部に露出させた状態で該プランジャの基端側を覆う保護カバーと、
前記保護カバーにより覆われ、前記ロック部とストッパ部との間に介在されて回動自由に軸支される回転カムと、
前記回転カムを前記ストッパ部に向けて付勢させるロックバネと、
前記プランジャの初期吸引動作時に、前記駆動プランジャを吸引方向に吸引させて摺動させる該駆動プランジャの摺動開始タイミングより前記従動プランジャの摺動開始タイミングを遅らせる遅延摺動手段と、
駆動プランジャが吸引待機位置に復帰移動した時、該駆動プランジャのロック部により前記回転カムを前記ストッパ部に当接させて、従動プランジャが吸引位置側へ動くのをロックするロック手段と、
駆動プランジャが吸引位置側へ吸引された時、前記遅延摺動手段により従動プランジャの摺動開始タイミングが遅延される間に、駆動プランジャと一体に後退するロック部の後退動作に連動して前記回転カムをストッパ部から離間させて前記ロック手段によるロックを解除するロック解除手段と、
を備えて構成したソレノイド。
【請求項３】
磁気回路を形成するヨークにより囲まれて配置されたコイルが励磁されると、進退自在に保持されたプランジャを復帰バネの付勢力に抗してコイル側に直線的に引き寄せ、前記コイルに対する励磁が遮断されると、プランジャを復帰バネの付勢力により吸引前の吸引待機位置に押し戻して復帰させるソレノイドを備え、該ソレノイドに備えられるプランジャを、遊技機の入賞扉を開閉する入賞扉開閉機構に接続してなる遊技機の入賞扉ロック装置であって、
前記ソレノイドを、
前記プランジャに吸引力を発生させる前記ヨーク及びコイルを含む励磁部と、
前記励磁部から突出するプランジャと前記入賞扉開閉機構との間に接続され、該プランジャが外力を受けて正規の吸引待機位置より移動されるのを阻止するプランジャロック機構とに分離し、且つ接続可能に独立して構成した
遊技機の入賞扉ロック装置。
【請求項４】
前記プランジャロック機構は、
軸方向に対向させた一方の摺動体に他方の摺動体を一部重合させて双方を軸方向に一定ストローク摺動自在にして連結し、連結された一方の吸引位置側に配置される摺動体を駆動プランジャとし、他方の吸引待機位置側に配置される摺動体を従動プランジャとする分割構成されたプランジャと、
前記駆動プランジャに一体に形成されるロック部と、
前記従動プランジャに一体に形成されるストッパ部と、
前記コイルに対する励磁が遮断されたとき、前記駆動プランジャを吸引待機位置側へ復帰させる復帰バネと、
前記プランジャの先端側を入賞扉開閉機構に接続した状態で前記従動プランジャの基端側を覆う保護カバーと、
前記保護カバーにより覆われ、前記ロック部とストッパ部との間に介在されて回動自由に軸支される回転カムと、
前記回転カムを前記ストッパ部に向けて付勢させるロックバネと、
前記プランジャの初期吸引動作時に、前記駆動プランジャを吸引方向に吸引させて摺動させる該駆動プランジャの摺動開始タイミングより前記従動プランジャの摺動開始タイミングを遅らせる遅延摺動手段と、
駆動プランジャが吸引待機位置に復帰移動した時、該駆動プランジャのロック部により前記回転カムを前記ストッパ部に当接させて、従動プランジャが吸引位置側へ動くのをロックするロック手段と、
駆動プランジャが吸引位置側へ吸引された時、前記遅延摺動手段により従動プランジャの摺動開始タイミングが遅延される間に、駆動プランジャと一体に後退するロック部の後退動作に連動して前記回転カムをストッパ部から離間させて前記ロック手段によるロックを解除するロック解除手段と、
を備えた請求項３に記載の遊技機の入賞扉ロック装置。
【発明の詳細な説明】
【技術分野】
【０００１】
この発明は、例えばパチンコ機の入賞口の開閉に用いられるようなソレノイドに関し、さらに詳しくは不正防止構造を有するソレノイド及び遊技機の入賞扉ロック装置に関する。
【背景技術】
【０００２】
以下、パチンコ機の遊技面に設置される大入賞口（Ｖ入賞口、アタッカ）を例にとって説明する。  
従来、パチンコ機の大入賞口は、球がスタートチャッカに入賞し、その後、抽選されて大当りになったとき、大入賞口が繰り返し開口されて、短時間に多くの賞球数を獲得できる。
【０００３】
前記大入賞口の開閉構造としては、ソレノイドへの通電、非通電により進退するプランジャの先端部に入賞扉開閉機構を接続して、大入賞口の扉(入賞案内部材)を開閉する構造を有している(例えば特許文献１参照)。
【０００４】
ところが、大入賞口は他の入賞口に比べて最も大きく開口し、一度に多くの賞球を入賞させることができることから不正行為（ゴト）の対象となりやすく、不正行為がなされた場合、気が付かない間に遊技損失が生じて店舗側が多大な被害にあってしまう問題を有していた。例えば、外部から巧妙に大入賞扉を開ける不正行為があった場合、この不正行為により開けられた大入賞扉と連動するソレノイドのプランジャも動くことになる。
【０００５】
このような不正行為に対しては、根本的に阻止する手段がなく、それゆえ大入賞口の扉が不正に開口されたことを検知する検知手段や報知手段を備えて、遊技機ごとに不正行為が実行されたことを発見できるように管理するに留まっていた。さらに、制御部での不正行為検出精度を高めるなどの改善を図ってはいるが、その不正防止対策のために多くの設備を要してコスト高となる問題を有していた。
【０００６】
【特許文献１】特開２００１−３２７７１４号
【発明の開示】
【発明が解決しようとする課題】
【０００７】
そこでこの発明は、不正行為を根本的に阻止することができる構造を備えたソレノイド及び遊技機の入賞扉ロック装置を提供することを目的とする。
【課題を解決するための手段】
【０００８】
この発明は、磁気回路を形成するヨークにより囲まれて配置されたコイルを励磁することにより、進退自在に保持されたプランジャを復帰バネの付勢力に抗してコイル側に直線的に引き寄せるソレノイドであって、前記プランジャの先端側を外部に露出させた状態で該プランジャの基端側を覆う保護カバーを備え、前記保護カバーの内部に、前記コイルに対する励磁が遮断されて吸引開放された前記プランジャが、前記復帰バネの付勢力により復帰移動した吸引待機位置にある該プランジャの露出部に吸引方向への外力が加えられて該プランジャが吸引方向に移動するのを阻止するプランジャロック機構を備えてなるソレノイドであることを特徴とする。
【０００９】
前記プランジャロック機構は、外部からの不正な外力を受けても、その外力をロックして受付けないので、プランジャは正規の吸引待機位置より移動しない。ことに、プランジャロック機構は保護カバーで覆われているので不正行為を実行する十分な隙間がなくなり、不正行為を根本的に阻止できる。従って、各種機器の扉に適用した場合、その扉の外部から巧妙に扉を開けるように扉と連動するソレノイドのプランジャを動かそうと不正行為が試みられても手掛かりがなく、不正行為が不能に終わってしまう。このため、不正行為の有無を検知する検知手段及びその報知手段を備えるような措置や対策も不要になる。
【００１０】
またこの発明は、磁気回路を形成するヨークにより囲まれて配置されたコイルを励磁することにより、進退自在に保持されたプランジャを復帰バネの付勢力に抗してコイル側に直線的に引き寄せるソレノイドであって、軸方向に対向させた一方の摺動体に他方の摺動体を一部重合させて双方を軸方向に一定ストローク摺動自在にして連結し、連結された一方の吸引位置側に配置される摺動体を駆動プランジャとし、他方の吸引待機位置側に配置される摺動体を従動プランジャとする分割構成されたプランジャと、前記駆動プランジャに一体に形成されるロック部と、前記従動プランジャに一体に形成されるストッパ部と、前記コイルに対する励磁が遮断されたとき、前記駆動プランジャを吸引待機位置側へ復帰させる復帰バネと、前記従動プランジャの先端側を外部に露出させた状態で該プランジャの基端側を覆う保護カバーと、前記保護カバーにより覆われ、前記ロック部とストッパ部との間に介在されて回動自由に軸支される回転カムと、前記回転カムを前記ストッパ部に向けて付勢させるロックバネと、前記プランジャの初期吸引動作時に、前記駆動プランジャを吸引方向に吸引させて摺動させる該駆動プランジャの摺動開始タイミングより前記従動プランジャの摺動開始タイミングを遅らせる遅延摺動手段と、駆動プランジャが吸引待機位置に復帰移動した時、該駆動プランジャのロック部により前記回転カムを前記ストッパ部に当接させて、従動プランジャが吸引位置側へ動くのをロックするロック手段と、駆動プランジャが吸引位置側へ吸引された時、前記遅延摺動手段により従動プランジャの摺動開始タイミングが遅延される間に、駆動プランジャと一体に後退するロック部の後退動作に連動して前記回転カムをストッパ部から離間させて前記ロック手段によるロックを解除するロック解除手段とを備えてソレノイドを構成することができる。
【００１１】
前記ソレノイドの出力軸となるプランジャを軸方向に分割することにより、該プランジャにロック構造を備えることが可能になる。よって、このプランジャのロック機能を必要とする様々な分野に該ソレノイドを利用することができる。
【００１２】
またこの発明は、磁気回路を形成するヨークにより囲まれて配置されたコイルが励磁されると、進退自在に保持されたプランジャを復帰バネの付勢力に抗してコイル側に直線的に引き寄せ、前記コイルに対する励磁が遮断されると、プランジャを復帰バネの付勢力により吸引前の吸引待機位置に押し戻して復帰させるソレノイドを備え、該ソレノイドに備えられるプランジャを、遊技機の入賞扉を開閉する入賞扉開閉機構に接続してなる遊技機の入賞扉ロック装置であって、前記ソレノイドを、前記プランジャに吸引力を発生させる前記ヨーク及びコイルを含む励磁部と、前記励磁部から突出するプランジャと前記入賞扉開閉機構との間に接続され、該プランジャが外力を受けて正規の吸引待機位置より移動されるのを阻止するプランジャロック機構とに分離し、且つ接続可能に独立して構成した遊技機の入賞扉ロック装置である。
【００１３】
この発明によると、ソレノイドを励磁部とプランジャロック機構とに分けて、分散配置することが可能になるため、この分離したソレノイドを用いれば、遊技機の不正対策に優れた入賞扉ロック装置として構成できるだけでなく、別々に取扱えるので用途先の設計条件に適応させやすい構成が可能になる。
【００１４】
この場合も、内部のソレノイドのプランジャに対し、吸引方向への外力が加えられても、プランジャロック機構によって、該プランジャが正規の吸引待機位置より移動されるのを阻止することができる。従って、外部から入賞口の扉を開けようとプランジャを動かせるように試みられてもロックされているので、不正行為を無効にできる。従って、遊技機の不正行為の対象となりやすい大入賞口の扉に適用すれば、外部からの不正行為が不能になり、信頼性の高い大入賞口となる。
【００１５】
この発明の態様として、前記プランジャロック機構は、軸方向に対向させた一方の摺動体に他方の摺動体を一部重合させて双方を軸方向に一定ストローク摺動自在にして連結し、連結された一方の吸引位置側に配置される摺動体を駆動プランジャとし、他方の吸引待機位置側に配置される摺動体を従動プランジャとする分割構成されたプランジャと、前記駆動プランジャに一体に形成されるロック部と、前記従動プランジャに一体に形成されるストッパ部と、前記コイルに対する励磁が遮断されたとき、前記駆動プランジャを吸引待機位置側へ復帰させる復帰バネと、前記プランジャの先端側を入賞扉開閉機構に接続した状態で前記従動プランジャの基端側を覆う保護カバーと、前記保護カバーにより覆われ、前記ロック部とストッパ部との間に介在されて回動自由に軸支される回転カムと、前記回転カムを前記ストッパ部に向けて付勢させるロックバネと、前記プランジャの初期吸引動作時に、前記駆動プランジャを吸引方向に吸引させて摺動させる該駆動プランジャの摺動開始タイミングより前記従動プランジャの摺動開始タイミングを遅らせる遅延摺動手段と、駆動プランジャが吸引待機位置に復帰移動した時、該駆動プランジャのロック部により前記回転カムを前記ストッパ部に当接させて、従動プランジャが吸引位置側へ動くのをロックするロック手段と、駆動プランジャが吸引位置側へ吸引された時、前記遅延摺動手段により従動プランジャの摺動開始タイミングが遅延される間に、駆動プランジャと一体に後退するロック部の後退動作に連動して前記回転カムをストッパ部から離間させて前記ロック手段によるロックを解除するロック解除手段とを備えて構成することができる。
【００１６】
前記プランジャロック機構は保護カバーによって覆われているので、外部から不正行為により操作できず、外部からの操作を完全に遮断した状態を維持して、不正行為が根本的にできない構造となる。よって、不正行為の有無を検知する検知手段及びその報知手段を備えるような措置や対策も不要になる。
【発明の効果】
【００１７】
この発明によれば、プランジャロック機構によって、外部からソレノイドに対する不正行為をできなくすることができる。この結果、ソレノイドに対して不正行為を試みることはできるが、不正行為を達成することはできない。よって、根本的に不正行為の問題を解決でき、不正行為を検知するための多くの設備の省略及び削減を可能にして低コスト化を図ることができる。
【実施例１】
【００１８】
この発明の一実施例を以下図面に基づいて説明する。  
図面はプランジャのロック機構を備えた吸引型タイプのソレノイドであり、図１は吸引型ソレノイド１１を上方から見た斜視図、図２は吸引型ソレノイド１１を下方から見た斜視図、図３は吸引型ソレノイド１１の分解斜視図である。
【００１９】
前記吸引型ソレノイド１１は、磁気回路を形成する四角枠体のヨーク１２により囲まれて配置されたコイル１３と、該コイル１３の励磁により引き寄せられ、復帰バネ１４の付勢力により突出するプランジャ１５と、前記プランジャ１５の先端側を外部に露出させた状態で該プランジャ１５の基端側を覆う保護カバー１６と、前記保護カバー１６の内部に備えられるプランジャロック機構１７とから構成される。
【００２０】
前記コイル１３は、軸方向基端側が固定鉄心１８を介してヨーク１２の内部に固定されている。また、ヨーク１２の基端側に配線接続用のコネクタ１９が取り付けられている。
【００２１】
前記プランジャロック機構１７は、駆動プランジャ２０と従動プランジャ２１とからなるプランジャ１５と、前記駆動プランジャ２０に一体に形成されるロックベース２２と、前記従動プランジャ２１に一体に形成されるストッパ鍔部２３と、前記駆動プランジャ２０を吸引待機位置側（プランジャ先端側）へ復帰させる復帰バネ１４と、前記保護カバー１６と、前記ロックベース２２とストッパ鍔部２３との間に介在されて回動自由に軸支される左右一対の第１ラッチ爪２４及び第２ラッチ爪２５と、前記ラッチ爪２４，２５を前記ストッパ鍔部２３に向けて左右対称に付勢させるロックバネ２６と、駆動プランジャ２０の摺動開始タイミングより従動プランジャ２１の摺動開始タイミングを遅らせて摺動させる遅延摺動機構２７と、従動プランジャ２１が外力により吸引位置側（コイル側）へ動かされるのをラッチ爪２４，２５によりロックするロック機構２８と、前記ラッチ爪２４，２５をストッパ鍔部２３から離間させてロック解除するロック解除機構２９とを備えて構成される。
【００２２】
前記プランジャ１５は、軸方向に対向させた一方の中空軸に他方の中実軸を挿通させて一部重合させた状態で双方を軸方向に一定ストローク摺動自在にして連結し、連結された吸引位置側に配置される中実軸を駆動プランジャ２０とし、吸引待機位置側に配置される中空軸を従動プランジャ２１として分割構成している。
【００２３】
このうち、駆動プランジャ２０は、さらに連結軸３０と筒軸３１とに分割し、これらの２軸を軸方向に連結して１本の軸体に形成している。前記連結軸３０の外周面には僅かに大径にした仕切用の鍔部３２を有しており、該鍔部３２により仕切られた先端側の連結軸３０を先端軸部３０ａとし、該先端軸部３０ａが従動プランジャ２１の筒孔２１ａに摺動自在に挿通される。また、該鍔部３２により仕切られた基端側の連結軸３０を基端軸部３０ｂとし、該基端軸部３０ｂが筒軸３１の筒孔３１ａに嵌合固定されて連結軸３０と筒軸３１は一体に連結される。そして、該筒軸３１がコイル１３の励磁時に直線的に吸引されてコイル１３の孔内に導かれる。
【００２４】
さらに、先端軸部３０ａ上には小さいピン孔３３を開口しており、該ピン孔３３に連結ピン３４を差し込んで径方向に連結ピン３４を植立している。この連結ピン３４が従動プランジャ２１との間での連結部材となる。また、筒軸３１上にはコイル状の復帰バネ１４を伸縮自在に介在させており、該復帰バネ１４の一端がヨーク１２の外壁面に当接し、他端が連結軸３０に固定されたロックベース２２に当接し、これらの間で伸縮する該復帰バネ１４はヨーク１２側を基点にロックベース２２側を付勢している。
【００２５】
前記ロックベース２２は、横長の板状に形成され、該ロックベース２２の中央部に開口されている嵌合孔２２ａが、連結軸３０の鍔部３２に隣接する段付き軸部３０ｃに嵌着されて連結軸３０上に一体に固定される。そして、該ロックベース２２の両側端部に、ラッチ爪接触対応用のロック対応面３５及びロック解除対応面３６と、摺動ガイド突起２２ｂとを備えている。
【００２６】
ロック対応面３５は、ロックベース２２の板状前面（プランジャ先端側）を該ロック対応面３５に設定し、プランジャ１５の吸引開放時に、該ロック対応面３５がラッチ爪２４，２５の基端部に当接し、ラッチ爪２４，２５を回転させて先端部をロック方向に回転させる役目を有している。ロック解除対応面３６は、ロックベース２２の板状両端部より前面側にそれぞれ突出させた突部内面を該ロック解除対応面３６に設定し、プランジャ１５の吸引時に、該ロック解除対応面３６がラッチ爪２４，２５の外側面に接触してラッチ爪２４，２５をロック解除方向に回転させる役目を有している。
【００２７】
摺動ガイド突起２２ｂは、板状の両側に外向きに小さく突出して設け、該摺動ガイド突起２２ｂが保護カバー１６のプランジャ進退方向に沿って形成されたガイド溝４３に係合されて、プランジャ１５の進退を摺動ガイドしている。
【００２８】
前記従動プランジャ２１は、中空の筒軸からなり、該筒軸の外周面には少し大径にした仕切用のストッパ鍔部２３を有しており、該ストッパ鍔部２３により仕切られた先端側を先端軸部３７とし、該先端軸部３７が出力軸となり、外部の図示しない駆動対象機構に連結される。この先端軸部３７の先端にはビス３８により駆動対象機構接続用の円盤３９が固定されている。また、ストッパ鍔部２３により仕切られた基端側を基端軸部４０とし、該基端軸部４０の筒孔２１ａに、駆動プランジャ２０の先端軸部３０ａが摺動自在に挿入される。さらに、基端軸部４０には軸方向に内外周面を連通させて開口した長溝４０ａを形成しており、ここに前記駆動プランジャ２０の径方向に突出する小さな連結ピン３４が摺動自在に係合される。
【００２９】
さらに、前記駆動プランジャ２０と従動プランジャ２１とからなるプランジャ１５に対しては、従動プランジャ２１の先端側を外部に露出させた状態で該従動プランジャ２１の基端側と駆動プランジャ２０側とを覆うコ形状の保護カバー１６をヨーク１２にビス４１止めして固定している。この保護カバー１６のコ形中央部に開口した挿通孔４２に、駆動プランジャ２０の筒軸３１を進退自由に挿通させており、従動プランジャ２１が突出方向に前進したとき、この保護カバー１６のコ形中央部の内面に、挿通孔４２より大径であるストッパ鍔部２３が当接して係止される。よって、ストッパ鍔部２３により従動プランジャ２１の突出量が決められている。また、この保護カバー１６の両側には、前記ロックベース２２の両側の摺動ガイド突起２２ｂをそれぞれ係合させて摺動ガイドさせるためのガイド溝４３を切欠き形成している。
【００３０】
また、前記保護カバー１６で囲まれるコ形部分の底面には、ラッチ爪搭載板４４備えており、該ラッチ爪搭載板４４の両側に、小径の支軸４５ａと大径のバネ保持軸４５ｂとを同軸上の上下に有する段付き軸４５を立設させている。そして、小径の支軸４５ａにラッチ爪２４，２５を正逆回転自由に軸支させ、バネ保持軸４５ａに、コイル状のロックバネ２６を保持させている。このロックバネ２６は一端をバネ保持軸４５ａに係止させ、他端をラッチ爪２４，２５に係止させて、該ロックバネ２６の周方向の付勢力によりラッチ爪２４，２５を前記ストッパ鍔部２３に向けて回転させる働きを持たせている。
【００３１】
また、ラッチ爪２４，２５は、プランジャ１５を挟んだ両側の位置に左右対称に配置され、保護カバー１６のコ形内で基端側のロックベース２２と先端側のストッパ鍔部２３との間で正逆転自在に同期して回転する。そして、ロックベース２２の動きに連動してラッチ爪２４，２５の先端側がストッパ鍔部２３と接離してロック、ロック解除されるものであり、コイル１３の励磁、非励磁に伴うプランジャ１５と一体のロックベース２２の進退移動に連動して実行される。
【００３２】
図４(Ａ)は吸引型ソレノイド１１のコイル非励磁状態を示す平面図であり、図４(Ｂ)は吸引型ソレノイド１１のコイル励磁状態を示す平面図である。図４(Ａ)における吸引型ソレノイド１１のコイル非励磁状態では、プランジャ１５に対する吸引力が作用せず、進退自由となったプランジャ１５は復帰バネ１４の復帰力を受けて前方に突出し、次の吸引を待機する吸引待機位置に待機される。この吸引待機位置ではロック機構２８がロック動作するように構成されている。このロック機構２８は復帰バネ１４の復帰力を受けるロックベース２２が前方に押され、該ロックベース２２のロック対応面３５がラッチ爪２４，２５の基端側に接してラッチ爪２４，２５を均等に前方に押し、両側のラッチ爪２４，２５の先端側を左右対称に内向きに回転させて、ラッチ爪２４，２５はハの字形の状態になる。ハの字形の状態になったラッチ爪２４，２５は両先端側がストッパ鍔部２３を挟み込むように両側より傾斜当接して、プランジャ１５が吸引方向に後退するのを規制するロック機能が生じる。これにより、プランジャ１５を後退させる方向(吸引方向)の力が外部より加わっても、該プランジャ１５はロックされて移動せず、プランジャ１５に対する吸引方向への移動を阻止することができる。
【００３３】
図４(Ｂ)における吸引型ソレノイド１１のコイル励磁状態では、吸引力が働いてプランジャ１５を吸引位置に吸引させるためのロック解除動作をするようにロック解除機構２９が構成されている。このロック解除機構２９は駆動プランジャ２０と、これと一体のロックベース２２がコイル１３側に同時に引かれるが、この場合、該ロックベース２２のロック解除対応面３６がラッチ爪２４，２５のハの字形の外側に接して、ラッチ爪２４，２５をプランジャ１５の軸方向に略平行する向きに回転させる。これにより、ラッチ爪２４，２５はストッパ鍔部２３に対する押圧規制が解除されて回動自由となり、押圧規制が解除されたストッパ鍔部２３と一体の従動プランジャ２１は吸引方向に移動するのが可能になり、従動プランジャ２１に対するロックが解除される。これにより、駆動プランジャ２０が引かれることに伴い従動プランジャ２１も追従して引かれることになる。
【００３４】
図５(Ａ)は吸引型ソレノイド１１のコイル励磁状態を示す横断面図であり、図５(Ｂ)は吸引型ソレノイド１１のコイル励磁遮断直後の状態を示す横断面図であり、図５(Ｃ)は吸引型ソレノイド１１のコイル非励磁状態を示す横断面図である。
【００３５】
前記コイル１３の励磁、非励磁に基づいて進退するプランジャ１５と一体化されているロックベース２２及びストッパ鍔部２３との動きにラッチ爪２４，２５の動きを連動させることでロック機構２８の構成が可能になる。
【００３６】
前記ロック機構２８は、ロックベース２２と、ストッパ鍔部２３と、ラッチ爪２４，２５とを主要部とし、その動きは、図５(Ａ)に示すように、コイル１３が励磁されてプランジャ１５が吸引されたプランジャ後退状態から、図５(Ｂ)に示すように、コイル１３の励磁か遮断されると、吸引されていた駆動プランジャ２０及びこれと一体のロックベース２２が復帰バネ２６の復帰力により前方に押し出され、図５(Ｃ)に示すように、該ロックベース２２のロック対応面３５がラッチ爪２４，２５の基端側を押し、平行状態に近い両側のラッチ爪２４，２５の基端側を押し広げて該ラッチ爪２４，２５の先端部をハの字形に絞り込み、該先端部をストッパ鍔部２３に当接させる。
【００３７】
この際、ストッパ鍔部２３は前面が保護カバー１６で囲まれたコ形状の内面に当接して突出方向への位置が規制され、ストッパ鍔部２３の後面はラッチ爪２４，２５の先端部で押圧されて、該ストッパ鍔部２３は保護カバー１６とラッチ爪２４，２５との間に挟み込まれた状態でロックされる。そして、ストッパ鍔部２３が保護カバー１６の内面に当接した時点でストッパ鍔部２３と一体の従動プランジャ２１が吸引待機位置に復帰して従動プランジャ２１の復帰動作が完了する。これにより、その後に従動プランジャ２１が吸引位置側（コイル側）への力を保護カバー１６の外部から受けても、保護カバー１６の内部に囲まれているラッチ爪２４，２５のロック作用が働いているため、該従動プランジャ２１はロックされて摺動が規制される。
【００３８】
図６(Ａ)は吸引型ソレノイド１１のコイル励磁時の初期状態を示す横断面図であり、図６(Ｂ)は吸引型ソレノイド１１のコイル励磁時の終期状態を示す横断面図である。
【００３９】
前記遅延摺動機構２７は、連結ピン３４と長溝４０ａを主要素として構成され、その動きは、図６(Ａ)に示すように、プランジャ１５の初期吸引動作時に、まず駆動プランジャ２０が吸引方向に引かれて摺動する。この摺動時に、駆動プランジャ２０の先端軸部３０ａが従動プランジャ２１の筒孔２１ａ内より引き出されながら摺動し、この駆動プランジャ２０と一体の連結ピン３４が従動プランジャ２１の長溝４０ａにガイドされて一定ストローク摺動する。
【００４０】
そして、図６(Ｂ)に示すように、連結ピン３４が長溝４０ａの基端側に当接した時点で駆動プランジャ２０と従動プランジャ２１との間で初めて吸引方向に対する係合作用が生じ、連結ピン３４が長溝４０ａを摺動する摺動長さの時間遅れて従動プランジャ２１が追従して摺動することになる。このように、駆動プランジャ２０の初期吸引動作時に、従動プランジャ２１の摺動開始タイミングを遅らせて摺動させることができる。
【００４１】
このような遅延摺動機構２７を構築すれば、従動プランジャ２１が駆動プランジャ２０に対して一定ストローク連動しない遅延動作を確保でき、これ遅延動作を確保することによりロック解除機構２９の構成を可能にしている。
【００４２】
前記ロック解除機構２９は、ロックベース２２と、ストッパ鍔部２３と、ラッチ爪２４，２５とを主要部とし、その動きは、図６(Ａ)に示すように、駆動プランジャ２０が吸引された時、前記遅延摺動機構２７により連結ピン３４が長溝４０ａの先端側から基端側に至るまでの僅かのストロークを摺動する間、連結ピン３４と一体の駆動プランジャ２０のみが単独で引かれる。一方、従動プランジャ２１は、その間、摺動開始タイミングが遅延される。この遅延される間に、プランジャロック機構１７ではロックベース２２が引かれ、該ロックベース２２に係止されていたラッチ爪２４，２５の回転規制が解かれ、前記ラッチ爪２４，２５はストッパ鍔部２３から次第に離間されてロック解除される。なお、ストッパ鍔部２３は、従動プランジャ２１より若干大径であり、図６(Ｂ)に示すように、従動プランジャ２１と一体に引かれる場合にハの字形の両側のラッチ爪２４，２５を左右に押し広げながら引くことができる大きさに設定している。
【００４３】
次に、吸引型ソレノイド１１をパチンコ機の大入賞口を開閉する入賞扉開閉機構に接続して構成される入賞扉ロック装置について説明する。  
図７は吸引型ソレノイド１１を入賞扉開閉機構７１に接続して構成される入賞扉ロック装置７０の一例を示す要部斜視図であり、図８は入賞扉ロック装置７０を内蔵した大入賞装置７２の斜視図であり、図９(Ａ)は大入賞装置７２のコイル非励磁時における図８のＡ−Ａ線矢視断面図であり、図９(Ｂ)は大入賞装置７２のコイル励磁時の縦断面図である。
【００４４】
入賞扉開閉機構７１は、図７に示すように、進退片７３と回動片７４と入賞案内プレート７５とを主要素として構成される。このうち、進退片７３は、基端側にプランジャ連結部７７を有し、このプランジャ連結部７７に吸引型ソレノイド１１のプランジャ端部に付設されている円盤７６が係合されて連結される。また、進退片７３の先端側には回動片７４の回動支点となる固定軸７８を挿通させて進退自在に軸支する軸支長孔７９を有している。そして、固定軸７８の両端部がケース８０に保持され、進退片７３は軸支長孔７９に摺動ガイドされながら進退し、軸支長孔７９を回動支点に後述する回動片７４が回動自由に支持される。
【００４５】
上述の回動片７４は、基端側の固定軸７８がケース８０(図８参照)の軸受部(図外)に軸支されると共に該固定軸７８が進退片７３の軸支長孔７９に接続される。また、先端側に設けられたプレート係合部８１が後述する入賞案内プレート７５の突片８２に係合される。
【００４６】
上述の入賞案内プレート７５は、図８にも示すように、大入賞口８３と対応する形状の横長の長方形扉であって、この下縁部の回転軸８４がケース８０に軸支されることによって該入賞案内プレート７５が開閉自在となり、背面側に突設した突片８２の係合軸部(図外)が前記回動片７４に係合されて接続される。これにより、吸引型ソレノイド１１からの直線的な吸引力が開閉操作用の回転力に変換されて入賞案内プレート７５に伝達される。
【００４７】
そして、図９(Ａ)に示すように、吸引型ソレノイド１１が通電されていない非励磁状態の場合は、プランジャ１５が最も突出した吸引待機位置にあり、この吸引待機位置では入賞扉開閉機構７１も待機して、大入賞口８３を入賞案内プレート７５によって閉鎖した状態にある。
【００４８】
この大入賞口８３が閉鎖されたコイル非励磁状態で、仮に吸引型ソレノイド１１のプランジャ１５に対し、外部から巧妙にプランジャ１５を動かそうと不正行為が試みられても、保護カバー１６の内部に設けられているプランジャロック機構１７によって該プランジャ１５のロック状態を維持しているので無効に終わり、またプランジャロック機構１７に対しては保護カバー１６で覆われているので手掛かりがなく、不正行為が不能に終わってしまう。このように大入賞装置７２は入賞扉ロック装置７０を内蔵して外力を受付けないので、正規に通電させてコイル１３を励磁させることに伴うプランジャ１５の吸引動作を実行しない限りプランジャ１５は吸引待機位置より移動しない。
【００４９】
一方、大当りしてコイル１３が励磁されると、図９(Ｂ)に示すように、プランジャ１５が引かれることに伴い入賞扉開閉機構７１が開動作する。つまり、プランジャ１５の吸引に連動して進退片７４が引かれ、回動片７３は進退片７４に引っ張られつつ固定軸７８を回動支点に回動し、この回動作用を受けて入賞案内プレート７５は前方に回動して突出し、大入賞口８３が開口される。そして、この入賞案内プレート７５が開いている間、大入賞口８３に賞玉が入賞される。
【実施例２】
【００５０】
次に、吸引型ソレノイドの励磁部１０１とプランジャロック機構１０２とを独立させて構成した分離吸引型ソレノイド１０３を作成し、この分離吸引型ソレノイド１０３をパチンコ機の大入賞装置１０４に適用した場合について説明する。
【００５１】
図１０は大入賞装置１０４に内蔵された分離吸引型ソレノイド１０３のコイル励磁時の要部縦断面図である。ここで、実施例２の分離吸引型ソレノイド１０３は実施例１の吸引型ソレノイド１１と比較して、励磁部１０１とプランジャロック機構１０２とを分離して構成した部分のみが異なり、他は同じであるため、同一の部分の説明についてはその説明を省略し、異なる部分の構成についてのみ説明する。
【００５２】
前記独立して設けられる励磁部１０１は、ヨーク１０５、コイル１０６、固定鉄心１０７などからなる実施例１と同じ励磁構造を有し、該励磁部１０１をケース１０８の内奥部に区画された第１収納部１０９に固定設置する。この第１収納部１０９から突出して別に独立して設けられるプランジャ１１０を含むプランジャロック機構１０２を、同じケース１０８内の前方に区画された第２収納部１１１に収納させて構成したものである。
【００５３】
このように、吸引型ソレノイドを励磁部１０１とプランジャロック機構１０２とに分けて、分散配置することが可能になるため、この分離吸引型ソレノイド１０３を用いれば、遊技機の不正対策に優れた大入賞装置１０４の入賞扉ロック装置１１２として構成できるだけでなく、別々に取扱えるので用途先の設計条件に適応させやすい構成が可能になる。例えば、プランジャロック機構１０２でのプランジャ長さや保護カバーの形状や長さを変えて、大入賞装置１０４に組み付けられる設置条件を満たした取り付けが可能になる。
【００５４】
前記実施例２では同一のケース１０８に励磁部１０１とプランジャロック機構１０２とを区画収納して構成した例を示したが、別々のケースに分けて収納するように構成することもできる。この場合は、励磁部１０１とプランジャロック機構１０２とをケース別に構成し、使用時に連結させて構成することが可能になる。このように、ユニット別に構成できるので、取り扱いが容易になり、製造上においても低コスト化が図れるほか、用途先の寸法変更等に容易に対処できる利点がある。
【００５５】
以上のごとく構成した場合も、パチンコ機の不正行為の対象となりやすい大入賞口に適用することで、外部からの不正行為が不能になり、信頼性の高い大入賞装置となる。
【００５６】
上述のように、ソレノイドに対して外部から不正ができないプランジャロック機構を備えさせて、ソレノイドの動きに対する不正行為を遮断させて無効にすることができるため、不正行為を根本的に解決できる。よって、大入賞口に対する不正行為を検知するための様々な管理や設備の削減が可能になる。
【００５７】
この発明の構成と、上述の一実施例の構成との対応において、
この発明のソレノイドは、実施例の吸引型ソレノイド１１及び分離吸引型ソレノイド１０３に対応し、
以下同様に、
ロック部は、ロックベース２２に対応し、
ストッパ部は、ストッパ鍔部２３に対応し、
回転カムは、第１ラッチ爪２４と第２ラッチ爪２５に対応し、
遅延摺動手段は、遅延摺動機構２７に対応し、
ロック手段は、ロック機構２８に対応し、
ロック解除手段は、ロック解除機構２９に対応し、
遊技機は、パチンコ機に対応するも、この発明は請求項に示される技術思想に基づいて応用することができ、上述の一実施例の構成のみに限定されるものではない。
【００５８】
例えば、上述の実施例ではソレノイドの一例に吸引型ソレノイドを適用したが、これに限らず、プッシュ型のソレノイドにも適用することができる。また、パチンコ機等の遊技機に限らず、プランジャロック機構を必要とするその他の機器にも適用できる。
【図面の簡単な説明】
【００５９】
【図１】実施例１の吸引型ソレノイドを上方から見た斜視図。
【図２】実施例１の吸引型ソレノイドを下方から見た斜視図。
【図３】実施例１の吸引型ソレノイドの分解斜視図。
【図４】(Ａ)は実施例１の吸引型ソレノイドのコイル非励磁状態を示す平面図、(Ｂ)は実施例１の吸引型ソレノイドのコイル励磁状態を示す平面図。
【図５】(Ａ)は実施例１の吸引型ソレノイドのコイル励磁状態を示す横断面図、(Ｂ)は実施例１の吸引型ソレノイドのコイル励磁遮断直後の状態を示す横断面図、(Ｃ)は実施例１の吸引型ソレノイドのコイル非励磁状態を示す横断面図。
【図６】(Ａ)は実施例１の吸引型ソレノイドのコイル励磁時の初期状態を示す横断面図、(Ｂ)は実施例１の吸引型ソレノイドのコイル励磁時の終期状態を示す横断面図。
【図７】実施例１の吸引型ソレノイドを入賞扉開閉機構に接続して構成される入賞扉ロック装置の一例を示す要部斜視図、
【図８】実施例１の入賞扉ロック装置を内蔵した大入賞装置の斜視図。
【図９】(Ａ)は実施例１の大入賞装置のコイル非励磁時における図８のＡ−Ａ線矢視断面図、(Ｂ)は実施例１の大入賞装置のコイル励磁時の要部縦断面図。
【図１０】実施例２の大入賞装置に内蔵された分離吸引型ソレノイドのコイル励磁時の要部縦断面図。
【符号の説明】
【００６０】
１１，１０３…吸引型ソレノイド
１５，１１０…プランジャ
１６…保護カバー
１７，１０２…プランジャロック機構
２２…ロックベース
２３…ストッパ鍔部
２４，２５…ラッチ爪
２７…遅延摺動機構
２８…ロック機構
２９…ロック解除機構
７０，１１２…入賞扉ロック装置
１０１…励磁部
【図１】
2008284153.tif 000003
【図２】
2008284153.tif 000004
【図３】
2008284153.tif 000005
【図４】
2008284153.tif 000006
【図５】
2008284153.tif 000007
【図６】
2008284153.tif 000008
【図７】
2008284153.tif 000009
【図８】
2008284153.tif 000010
【図９】
2008284153.tif 000011
【図１０】
2008284153.tif 000012